(57)【特許請求の範囲】
【請求項１】
相互に結合されたバックルとベルトとを備え、このベルトをその先端部からバックルの挿通部に挿通させて引き締めることで所定の被結束物を結束する構成のベルトクランプであって、
バックルは、大径の被結束物を受け止める大径受承面と、挿通部におけるベルト挿入側の近くにおいて小径の被結束物を受け止めるための小径受承面とを備え、大径受承面は、バックルの挿通部におけるベルト挿入側の円弧形状の端面からバックルに対するベルトの結合部の反対方向へ延長されており、小径受承面は、バックルの挿通部におけるベルト挿入側の円弧形状の端面とバックルに対するベルトの結合部との間に位置しており、大径の被結束物をベルトで結束したときには、大径受承面とベルト挿入側の円弧形状の端面とによって被結束物の外周面の一部を受け止め、小径の被結束物をベルトで結束したときには、小径受承面によって被結束物の外周面の一部を受け止めるとともに、ベルトが被結束物における外周面の周方向のほぼ全域にわたって密着するように設定されているベルトクランプ。
【請求項２】
請求項１記載のベルトクランプであって、
小径受承面が、バックルの挿通部におけるベルト挿入側の円弧形状の端面とバックルに対するベルトの結合部との間の距離を小径の被結束物の直径よりも短くしたスペースに設定されているベルトクランプ。
【発明の詳細な説明】
【０００１】
【発明の属する技術分野】
本発明は、径の大きさによって大は例えば複数本の電線が束ねられたワイヤハーネスから小は単線といった各種の被結束物を結束するためのベルトクランプに関する。
【０００２】
【従来の技術】
この種のベルトクランプとしては、例えば図５で示す構造のものが知られている。このベルトクランプは、バックル４０とその上面に結合されたベルト４４とを備え、バックル４０の挿通部４２に対してベルト４４をその先端部から挿通させて引き締めることでワイヤハーネスなどを結束できるようになっている。そしてこの図面では小径の単線Ｗを結束した状態が示されており、この結束においてはバックル４０の上面が単線Ｗの受承面４６となっている。この受承面４６には単線Ｗに対するずれ止め用のリブ４８がバックル４０と一体に形成されている。つまり結束時には、単線Ｗの外周面がリブ４８に押しつけられ、それによって単線Ｗの軸線方向へのずれ止めを期待している。
【０００３】
【発明が解決しようとする課題】
しかしながら単線Ｗの結束状態においては、その外周面に対してベルト４４、受承面４６及びリブ４８が周方向に関して全体の2分の1〜3分の1程度しか接触しておらず、単線Ｗのまわりに空間がたくさん残っている（図５）。この結果、単線Ｗの軸線方向へのずれ動きに対する保持力が低く、これを高めるためにベルト４４を強く締め付けると、単線Ｗがリブ４８などの個所において傷つくことがある。
【０００４】
本発明は前記課題を解決しようとするもので、その目的は、単線などの小径の被結束物を結束したとき、この被結束物の外周面に対してその周方向のほぼ全域にわたってベルトを密着させた状態で締め付けることを可能とし、ベルトを過度に締め付けることなく、小径の被結束物の軸線方向へのずれ動きに対する保持力を高めることである。
【０００５】
【課題を解決するための手段】
本発明は前記目的を達成するためのもので、請求項１記載の発明は、相互に結合されたバックルとベルトとを備え、このベルトをその先端部からバックルの挿通部に挿通させて引き締めることで所定の被結束物を結束する構成のベルトクランプであって、バックルは、大径の被結束物を受け止める大径受承面と、挿通部におけるベルト挿入側の近くにおいて小径の被結束物を受け止めるための小径受承面とを備えている。大径受承面は、バックルの挿通部におけるベルト挿入側の円弧形状の端面からバックルに対するベルトの結合部の反対方向へ延長されており、小径受承面は、バックルの挿通部におけるベルト挿入側の円弧形状の端面とバックルに対するベルトの結合部との間に位置している。
大径の被結束物をベルトで結束したときには、大径受承面とベルト挿入側の円弧形状の端面とによって被結束物の外周面の一部を受け止め、小径の被結束物をベルトで結束したときには、小径受承面によって被結束物の外周面の一部を受け止めるとともに、ベルトが被結束物における外周面の周方向のほぼ全域にわたって密着するように設定されている。
【０００６】
本発明によれば、ワイヤハーネスなどの大径の被結束物をベルトで結束したときには、大径受承面とベルト挿入側の円弧形状の端面とによって被結束物の外周面の一部を安定して受け止めることができる。また、単線などの小径の被結束物をベルトで結束したときには、この被結束物が小径受承面によって受け止められるとともに、被結束物における外周面の周方向のほぼ全域にわたってベルトが密着した状態で締め付けられる。したがってベルトを過度に引き締めることなく、小径の被結束物がその軸線方向へずれ動かないように保持する力が充分に確保される。
【０００７】
また請求項２記載の発明は、請求項１記載のベルトクランプであって、小径受承面が、バックルの挿通部におけるベルト挿入側の円弧形状の端面とバックルに対するベルトの結合部との間の距離を小径の被結束物の直径よりも短くしたスペースに設定されている。
このように小径受承面の位置を設定することで、結束時に小径の被結束物の外周面に対してベルトが密着する領域を容易に拡大することができる。
【０００８】
【発明の実施の形態】
以下、本発明の実施の形態を説明する。
図１はベルトクランプの平面図、図２は図１の側面図、図３は同じく図１の下面図である。これらの図面で示すようにベルトクランプは、大別してバックル１０、ベルト２０、スタビライザ１６及び脚部１８により構成され、これらは合成樹脂により一体に成形されている。バックル１０はその基板１１を四面の壁の一つとする角筒形状で、その内部はベルト２０を通すための挿通部１２となっている。この挿通部１２における両端の開口のうち、一方（図２の左方）がベルト挿入側１２ａであり、他方がベルト引き出し部１２ｂである。
【０００９】
図２（Ａ）の一部を拡大して表した図２（Ｂ）からも明らかなように、挿通部１２の内部には基板１１の側から突出した格好の係止爪１４が位置している。また基板１１の下面には、前記スタビライザ１６及び脚部１８がそれぞれ位置している。この脚部１８を車両ボデーなどにあけられている取付け孔（図示外）に差し込むことで、ベルトクランプが定位置に装着されることになる。
【００１０】
前記ベルト２０は、その基端がバックル１０の上面１０ａに結合されてバックル１０と一体化されている。このベルト２０の片側面には、前記係止爪１４とかみ合い可能な係止段２４がベルト２０の長さ方向に沿って多数形成されている。そしてベルト２０はワイヤハーネスなどの被結束物の外周面に巻回すことができる柔軟性を有しており、その先端部２２を前記挿通部１２に対してベルト挿入側１２ａから挿入し、かつベルト引き出し部１２ｂから引き出して引き締めることにより被結束物を結束できるようになっている。なおベルト２０を引き締めた状態では、そのときに対応する係止段２４が係止爪１４にかみ合っており、ベルト２０はその状態に保持される。
【００１１】
前記バックル１０の上面１０ａ以外の壁は、挿通部１２のベルト挿入側１２ａから図２の左方向へ延長され、その上面及びベルト挿入側１２ａの端面により大径受承面３０が構成されている。この大径受承面３０はワイヤハーネスなどの大径の被結束物をベルト２０で結束したときに、その外周面の一部を受け止める。なお延長部分の上面とベルト挿入側１２ａの端面との境界部分は円弧形状になっており、ワイヤハーネスなどを安定して受け止めるようになっている。
【００１２】
またバックル１０の上面１０ａにおいて、ベルト挿入側１２ａの端部とバックル１０に対するベルト２０の結合部２１との間は単線などの小径の被結束物を受け止めるための小径受承面３２となっている。図２（Ｂ）で示すように小径受承面３２において、ベルト挿入側１２ａの端部と結合部２１との間の距離ｔは小径の被結束物（単線Ｗ）の直径よりも短く設定されている。
【００１３】
前記構成のベルトクランプによって単線Ｗを結束する場合は、図４で示すように単線Ｗの外周面にベルト２０を巻回すとともに、前記のようにバックル１０の挿通部１２にベルト２０を先端部２２から挿通して引き締める。このベルト２０の引き締めに伴って単線Ｗは小径受承面３２に受け止められた後、しっかりと結束される。このとき、単線Ｗは小径受承面３２からはみ出しており、そのために単線Ｗの外周面にはその周方向の約4分の3の範囲でベルト２０が密着している。そして結果的には、単線Ｗの外周面に対してベルト２０および小径受承面３２が周方向のほぼ全域にわたって密着することとなる。したがってベルト２０を強く引き締めなくても、単線Ｗの軸線方向へのずれ止めに必要な保持力が確保され、単線Ｗを締めすぎによってきずをつけたりすることなく、安定した状態でクランプできる。
なお結束後は脚部１８を車両ボデーなどの取付け孔に差し込んみ、その位置にベルトクランプを単線Ｗとともに固定する。
【図面の簡単な説明】
【図１】ベルトクランプの平面図。
【図２】図１の側面図。
【図３】同じく図１の下面図。
【図４】ベルトクランプによる単線の結束状態を拡大して表した側面図。
【図５】従来のベルトクランプによる単線の結束状態を表した側面図。
【符号の説明】
１０  バックル
１０ａ  上面
１２  挿通部
１２ａ  ベルト挿入側
１２ｂ  ベルト引き出し部
２０  ベルト
２１  結合部
２２  先端部
３０  大径受承面
３２  小径受承面
Ｗ  単線（小径の被結束物）
【図１】
0004338836.tif 000002
【図２】
0004338836.tif 000003
【図３】
0004338836.tif 000004
【図４】
0004338836.tif 000005
【図５】
0004338836.tif 000006